(57)【要約】      （修正有）【課題】使用に際して違和感が無く、優れた使用感の得られる健康器具を提供すること。【解決手段】健康ベルトは、腰部に装着する健康ベルトであって、ベルト本体を、自然状態で長さが50センチ以上120センチ以下、幅が５センチ以上25センチ以下であり、且つ、長手方向に伸長可能な弾性を有した素材を用いて帯状に形成するとともに、前記ベルト本体の表面にゲルマニウム粉末を含有した可撓性伸縮部材層を散在させた。前記ベルト本体の両端には互いに係止可能な係止手段を設け、前記ベルト本体の短手方向の反り返り変形を抑制する変形抑制部材を備えた。【選択図】図１
0003122106.tif 000002
【実用新案登録請求の範囲】
【請求項１】
腰部に装着する健康ベルトであって、
ベルト本体を、自然状態で長さが50センチ以上120センチ以下、幅が５センチ以上25センチ以下であり、且つ、長手方向に伸長可能な弾性を有した素材を用いて帯状に形成するとともに、
前記ベルト本体の表面にゲルマニウム粉末を含有した可撓性伸縮部材層を散在させたことを特徴とする健康ベルト。
【請求項２】
前記ベルト本体の一端と他端に、互いに係止可能な係止手段を設けたことを特徴とする請求項１に記載の健康ベルト。
【請求項３】
前記可撓性伸縮部材層は、ゲルマニウム粉末を含有した樹脂を発泡プリントして形成したことを特徴とする請求項１、２の何れか１項に記載の健康ベルト。
【請求項４】
前記ベルト本体の短手方向の反り返り変形を抑制する変形抑制部材を備えたことを特徴とする請求項１、２、３の何れか１項に記載の健康ベルト。
【請求項５】
前記変形抑制部材は、
前記ベルト本体の短手方向に長い短冊状の硬質樹脂部材を複数箇所に配設するとともに、前記硬質樹脂部材を可撓性被覆部材で覆ったことを特徴とする請求項４に記載の健康ベルト。
【請求項６】
前記硬質樹脂部材は、５センチ〜１５センチ間隔で配設したことを特徴とする請求項５に記載の健康ベルト。
【考案の詳細な説明】
【技術分野】
【０００１】
本考案は、腰部に装着する健康ベルトに関するものである。
【背景技術】
【０００２】
従来より、健康に好影響を与えることが期待されるサポータなどの健康器具としては、磁性体素材を用いたものや、セラミック素材を用いたものが知られている。また、ゲルマニウム粒を固着させたものも知られている。（例えば、特許文献１、２参照）
【０００３】
【特許文献１】実開昭６２−８２０４５号公報
【特許文献２】実開平３−２９１５４号公報
【考案の開示】
【考案が解決しようとする課題】
【０００４】
ところが、上述したような従来の健康器具の場合には、ゲルマニウム原石を砕いたものや粒を固着させたものであるので、使用に際しては固いゲルマニウム粒に違和感を覚えたりするという点で問題があった。
【０００５】
そこで、本考案は、使用に際して違和感が無く、優れた使用感の得られる健康器具を提供することを目的としてなされたものである。
【課題を解決するための手段】
【０００６】
本考案にかかる請求項１の健康ベルトは、腰部に装着する健康ベルトであって、ベルト本体を、自然状態で長さが50センチ以上120センチ以下、幅が５センチ以上25センチ以下であり、且つ、長手方向に伸長可能な弾性を有した素材を用いて帯状に形成するとともに、前記ベルト本体の表面にゲルマニウム粉末を含有した可撓性伸縮部材層を散在させた。
【０００７】
請求項２の発明では、前記ベルト本体の一端と他端に、互いに係止可能な係止手段を設けた。
請求項３の発明では、前記可撓性伸縮部材層は、ゲルマニウム粉末を含有した樹脂を発泡プリントして形成した。
請求項４の発明では、前記ベルト本体の短手方向の反り返り変形を抑制する変形抑制部材を備えた。
請求項５の発明では、前記変形抑制部材は、前記ベルト本体の短手方向に長い短冊状の硬質樹脂部材を複数箇所に配設するとともに、前記硬質樹脂部材を可撓性被覆部材で覆った。
請求項６の発明では、前記硬質樹脂部材は、５センチ〜１５センチ間隔で配設した。
【考案の効果】
【０００８】
本発明にかかる健康ベルトは、長手方向に伸長可能な弾性を有した素材を用いて帯状に形成するとともに、前記ベルト本体の表面にゲルマニウム粉末を含有した可撓性伸縮部材層を散在させたので、腰回りの長さの異なる人であっても確実に装着することができるとともに、健康増進効果が期待できる。また、身体に直接装着した場合にはセルライト除去効果も期待できる。
そして、ゲルマニウム粉末を含有した可撓性伸縮部材層は、伸長可能なベルト本体の伸長と共に伸長可能であるので、ゲルマニウム成分が剥離脱落することを防止できる。
【０００９】
請求項２の発明では、前記ベルト本体の一端と他端に、互いに係止可能な係止手段を設けたので、腰部に装着容易である。
請求項３の発明では、前記可撓性伸縮部材層は、ゲルマニウム粉末を含有した樹脂を発泡プリントして形成したので、可撓性を備えた伸縮部材層を、低コストで形成することができる。
請求項４の発明では、前記ベルト本体の短手方向の反り返り変形を抑制する変形抑制部材を備えたので、腰部に装着したときに反り返り変形を防止できる。
請求項５の発明では、前記変形抑制部材は、前記ベルト本体の短手方向に長い短冊状の硬質樹脂部材を複数箇所に配設したので、短冊状の硬質樹脂部材を配設する数を多くしたり少なくしたりして、変形の抑制程度を調節することができる。また、その硬質樹脂部材は可撓性被覆部材で覆ったので外観にも優れ装着感も快適なものとなる。
請求項６の発明では、前記硬質樹脂部材は、５センチ〜１５センチ間隔で配設したので、腰部の背骨の周囲を広く覆って効果的な健康増進効果が期待できる。
【考案を実施するための最良の形態】
【００１０】
以下に、本考案にかかる健康ベルトを、その実施の形態を示した図面に基づいて詳細に説明する。
図１に示した本考案にかかる健康ベルト１は、腰部に装着する健康ベルトであって、このベルト本体２は、自然状態で長さが50cm以上120cm以下（使用者の腰回りより20cm〜30
cm長い。）、幅が５cm以上25cm以下であり、且つ、長手方向に伸長可能な弾性を有した素
材を用いて帯状に形成されている。図１には健康ベルト１を使用する場合の内側（身体側）の面の平面図を示し、図２には同じく使用する場合の外側の面の平面図を示している。
この健康ベルト１を使用者の腰に巻いて装着した状態で保持するために、ベルト本体２の長手方向の両端には係止手段３が形成されている。この係止手段３は、ベルト本体２の一端の（使用状態での）外側面に形成された係止構造３１と、ベルト本体２の他端の（使用状態での）内側面に形成された被係止構造３２とから構成されている。前記係止手段３は一対の面ファスナで構成するとよい。
【００１１】
前記ベルト本体２の（使用状態での）内側面には、ゲルマニウム粉末を含有した可撓性伸縮部材層（以下、単に「ゲルマニウム部」という。）４を散在させており、このゲルマニウム部４が配設された面が身体側（内側）になるように装着して使用する。
前記ゲルマニウム部４は、例えば、直径５mm〜15mm程度の円形で、ベルト本体２の布地
に発泡プリントして形成することができる。前記ゲルマニウム部４はベルト本体２の布地の伸縮に応じて多少は伸縮可能となっている。このような円形の前記ゲルマニウム部４を多数箇所に散在させてある。
【００１２】
５は変形抑制部材であり、身体装着時における前記ベルト本体２の反り返り変形を防止するための補強のために配設されている。この変形抑制部材５は、例えば、ベルト本体２の外側面にベルト本体の短手方向に長い短冊状の硬質樹脂部材を沿わせて形成したものである。具体的には、ベルト本体２の外側面に形成された袋状の収納部に硬質樹脂部材を収納したものである。このような変形抑制部材５は、５センチ〜１５センチ間隔で複数箇所に配設されている。
【００１３】
図３に示したような身体装着状態においては、前記変形抑制部材５が縦方向になってベルト本体２の反り返り変形を防止するので、快適な装着状態を保持できる。
また、面ファスナやホックのような係脱自在な係止手段３によって、身体（腰など）への装着、取り外しが容易である。なお、腰部に限らず身体の他の部分に装着してもよい。
なお、本発明は、健康ベルトに限らず、マクラカバーや布団カバーなどの寝具類、クッションカバー類、腹巻や膝サポータや靴の中敷などに応用することもできる。
【実施例１】
【００１４】
実施例１の健康ベルトは、自然状態で長さが90.0cm以下、幅が16.5cm以下であり、ゲルマニウム部４にはゲルマニウム粉末と遠赤外線を放射する作用のある天然鉱石やセラミックなどの素材とを混ぜ込んで発泡プリントした。遠赤材料としては、天然鉱石（SiO2、Fe2O3、CaO、TiO2、ZrO2、Al2O3、ZnO等）の粉末を使用することができる。
そして、直径６mmの円形のゲルマニウム部４を152箇所設け、直径11mmの円形のゲルマ
ニウム部４を12箇所設け、さらに、「GERMANIUM」という文字状に発泡プリントしてもよい。
この実施例１の健康ベルトのベルト本体は表層、から裏層までの複数の層からなり、その周縁は縁取り縫製されているので、外観も優れ、耐久性や手触りも優れたものとなる。
この実施例１の健康ベルトは、引き延ばせば100cm以上まで伸びるので、平均的な成人の腰に巻き付けて装着することができ、ゲルマニウム成分による健康増進効果と、遠赤外線による血行促進効果が得られる。
【図面の簡単な説明】
【００１５】
【図１】本考案にかかる健康ベルトの実施の形態を内側面から見た平面図である。
【図２】前記健康ベルトの外側面の平面図である。
【図３】前記健康ベルトを巻いた状態の斜視図である。
【符号の説明】
【００１６】
１  健康ベルト
２  ベルト本体
３  係止手段
３１  係止構造
３２  被係止構造
４  可撓性伸縮部材層（ゲルマニウム部）
５  変形抑制部材
【図１】
0003122106.tif 000003
【図２】
0003122106.tif 000004
【図３】
0003122106.tif 000005